(57)【要約】      （修正有）【課題】コネクタ連結部の組立て作業性が向上される電子機器を提供する。【解決手段】プラグインモジュール収納部と該プラグインモジュール収納部に挿脱可能なプラグインモジュールを具備する電子機器に於いて、前記プラグインモジュール収納部、前記プラグインモジュールのいずれか一方に固定コネクタ５が固定して設けられると共にガイドピン８が突設され、前記プラグインモジュール収納部、前記プラグインモジュールのいずれか他方にフローティングプレートを介してフローティングコネクタが設けられ、前記フローティングプレートには漏斗形状のピンガイド２３が設けられ、前記固定コネクタ５と前記フローティングコネクタとの連結時に前記ガイドピン８が前記ピンガイド２３に嵌入し、前記フローティングプレートが連結方向とは直交する方向に変位して前記フローティングコネクタと前記固定コネクタ５との芯合せが行われる。【選択図】図１
2007280839.tif 000002
【特許請求の範囲】
【請求項１】
プラグインモジュール収納部と該プラグインモジュール収納部に挿脱可能なプラグインモジュールを具備する電子機器に於いて、前記プラグインモジュール収納部、前記プラグインモジュールのいずれか一方に固定コネクタが固定して設けられると共にガイドピンが突設され、前記プラグインモジュール収納部、前記プラグインモジュールのいずれか他方にフローティングプレートを介してフローティングコネクタが設けられ、前記フローティングプレートには漏斗形状のピンガイドが設けられ、前記固定コネクタと前記フローティングコネクタとの連結時に前記ガイドピンが前記ピンガイドに嵌入し、前記フローティングプレートが連結方向とは直交する方向に変位して前記フローティングコネクタと前記固定コネクタとの芯合せが行われることを特徴とする電子機器。
【発明の詳細な説明】
【技術分野】
【０００１】
本発明は、電子機器本体と該電子機器本体に挿脱可能なプラグインモジュールを具備する電子機器に関するものである。
【背景技術】
【０００２】
電子機器、特に無線通信システムの中継基地に設置される大型の電子機器では、機能毎にモジュール化された構成を有し、又モジュールはメンテナンス等の作業性が考慮され、電子機器本体に挿脱可能となっている。
【０００３】
図５、図６に於いて、挿脱可能なモジュールを有する電子機器について略述する。
【０００４】
図５は電子機器のモジュール収納部を示しており、電子機器の全体については図示を省略している。図５中、１は電子機器本体のラック（図示せず）に設けられるモジュール収納部としてのサブラックであり、２は該サブラック１に実装される増幅ユニット、無線ユニット等のプラグインモジュールである。
【０００５】
前記サブラック１と前記プラグインモジュール２とはコネクタ連結部３を介して電気的に連結可能であり、該コネクタ連結部３はフローティングコネクタ４と固定コネクタ５とを有し、前記フローティングコネクタ４と前記固定コネクタ５とは連結解除可能となっている。
【０００６】
図６は前記コネクタ連結部３を示しており、前記サブラック１の対面パネル６には前記固定コネクタ５が固定して取付けられている。該固定コネクタ５に隣接して一対のガイドピン８，８が立設され、該ガイドピン８の先端部は先細りのテーパ形状となっている。
【０００７】
前記プラグインモジュール２の対面パネル９にはフローティングプレート１２を貫通するブッシュ１１が取付けられ、前記フローティングプレート１２は前記ブッシュ１１を介して前記対面パネル９に取付けられ、前記フローティングプレート１２は前記ブッシュ１１が貫通する孔の遊び分だけ前記対面パネル９に対して変位可能となっている。又、前記フローティングプレート１２には前記ガイドピン８が貫通可能なガイド孔１３が穿設され、又前記フローティングコネクタ４が干渉しない様にコネクタ取付け孔１４が穿設され、前記フローティングプレート１２に前記フローティングコネクタ４が取付けられている。
【０００８】
前記対面パネル９には前記コネクタ取付け孔１４に対応して前記フローティングコネクタ４と干渉しない様にコネクタ逃げ孔１５が穿設され、又前記ガイドピン８と干渉しない様にガイドピン逃げ孔１６が穿設されている。
【０００９】
而して、前記フローティングコネクタ４は前記フローティングプレート１２と一体に前記対面パネル９に対し、前記ブッシュ１１の遊び分だけ変位可能となっている。
【００１０】
図５に於いて、前記プラグインモジュール２を前記サブラック１に対して挿入すると、先ず前記ガイドピン８が前記ガイド孔１３に嵌合する。前記固定コネクタ５と前記フローティングコネクタ４とが芯ずれを起していた場合は、前記ガイドピン８の先端部はテーパ形状となっているので、該ガイドピン８が前記ガイド孔１３に嵌合する時点で、前記ガイド孔１３が変位し芯ずれが矯正される。尚、芯ずれ矯正量（フローティング量）は、前記ガイドピン８先端部の傾斜量に対応する。
【００１１】
上記した前記コネクタ連結部３に於いて、フローティング量は前記ガイドピン８先端部の傾斜量に対応し、又該ガイドピン８の直径、フローティング作用を有する傾斜角等の制限から、大きなフローティング量は得られない。
【００１２】
この為、製作上許容される芯ずれ誤差が小さく、前記プラグインモジュール２、前記サブラック１、前記コネクタ連結部３部分について、製作精度、組立て精度が要求され、組立て作業性を悪くし、又芯合せ作業の煩雑化等作業量の増大を招いていた。
【００１３】
尚、フローティング機能を有するコネクタ連結部を介してプラグインモジュールとサブラック等とを結合するものとしては特許文献１に示されるものがある。
【００１４】
【特許文献１】特開２００３−２４３０９５号公報
【発明の開示】
【発明が解決しようとする課題】
【００１５】
本発明は斯かる実情に鑑み、大きなフローティング量を有するコネクタ連結部によりプラグインモジュールが実装可能であり、製作精度、組立て精度を要求することなく、組立て作業性を向上するものである。
【課題を解決するための手段】
【００１６】
本発明は、プラグインモジュール収納部と該プラグインモジュール収納部に挿脱可能なプラグインモジュールを具備する電子機器に於いて、前記プラグインモジュール収納部、前記プラグインモジュールのいずれか一方に固定コネクタが固定して設けられると共にガイドピンが突設され、前記プラグインモジュール収納部、前記プラグインモジュールのいずれか他方にフローティングプレートを介してフローティングコネクタが設けられ、前記フローティングプレートには漏斗形状のピンガイドが設けられ、前記固定コネクタと前記フローティングコネクタとの連結時に前記ガイドピンが前記ピンガイドに嵌入し、前記フローティングプレートが連結方向とは直交する方向に変位して前記フローティングコネクタと前記固定コネクタとの芯合せが行われる電子機器に係るものである。
【発明の効果】
【００１７】
本発明によれば、プラグインモジュール収納部と該プラグインモジュール収納部に挿脱可能なプラグインモジュールを具備する電子機器に於いて、前記プラグインモジュール収納部、前記プラグインモジュールのいずれか一方に固定コネクタが固定して設けられると共にガイドピンが突設され、前記プラグインモジュール収納部、前記プラグインモジュールのいずれか他方にフローティングプレートを介してフローティングコネクタが設けられ、前記フローティングプレートには漏斗形状のピンガイドが設けられ、前記固定コネクタと前記フローティングコネクタとの連結時に前記ガイドピンが前記ピンガイドに嵌入し、前記フローティングプレートが連結方向とは直交する方向に変位して前記フローティングコネクタと前記固定コネクタとの芯合せが行われるので、前記固定コネクタと前記フローティングコネクタ間の芯合せ量が大きく、前記プラグインモジュール収納部、前記プラグインモジュールを高精度に製作する必要がなく、又組立て等の作業性が向上し、組立て作業時間が短縮できる等の優れた効果を発揮する。
【発明を実施するための最良の形態】
【００１８】
以下、図面を参照しつつ本発明を実施する為の最良の形態を説明する。
【００１９】
尚、図１〜図３中、図５、図６中で示したものと同等のものには同符号を付し、サブラック１とプラグインモジュール２の関係は図５で示されたものと同様である。
【００２０】
対面パネル６に固定コネクタ５が設けられると共に該固定コネクタ５に隣接して一対のガイドピン８，８が立設される。該ガイドピン８，８は前記固定コネクタ５に対して対角線上に配置され、先端部が先細りのテーパ形状となっている。
【００２１】
図２に示される様に、フローティングコネクタ４はフローティングプレート２１を介して対面パネル９に取付けられる様になっている。
【００２２】
前記フローティングプレート２１にはコネクタ取付け孔１４が穿設され、又少なくとも２箇所にカラー２２が固着され、該カラー２２の高さは前記対面パネル９の板厚より僅かに大きくなっている。又、前記ガイドピン８と対応する位置にピンガイド２３が固着される。該ピンガイド２３は前記固定コネクタ５側に向って広がる内円錐面２３ａを有する漏斗形状となっており、最小内径（通孔の内径）は前記ガイドピン８の軸径と略等しくなっている。
【００２３】
前記対面パネル９にはコネクタ逃げ孔２４、ガイドピン逃げ孔２５、カラー逃げ孔２６が穿設され、前記フローティングプレート２１は前記カラー２２を前記カラー逃げ孔２６に挿通し、座金２７を介してボルト２８を前記カラー２２に螺着することで、前記フローティングプレート２１を前記対面パネル９に取付ける様になっている。又、前記ガイドピン逃げ孔２５の径は前記ガイドピン８の外径より充分大きく、又前記カラー逃げ孔２６の径は前記カラー２２の外径より充分大きく、更に前記コネクタ逃げ孔２４は前記フローティングコネクタ４の前記対面パネル９側に突出する部分４ａより充分大きくなっている。
【００２４】
前記フローティングプレート２１は前記カラー２２と前記カラー逃げ孔２６の径差分（遊び分）だけ前記対面パネル９に対して変位可能であり、又前記フローティングプレート２１の移動に対して、前記フローティングコネクタ４と前記コネクタ逃げ孔２４とは干渉しない様になっている。
【００２５】
以下、前記フローティングコネクタ４と前記固定コネクタ５の連結について説明する。
【００２６】
前記プラグインモジュール２を前記サブラック１に挿入すると、先ず、前記ガイドピン８が前記ピンガイド２３に進入する。前記固定コネクタ５と前記フローティングコネクタ４との芯がずれている場合は、前記ガイドピン８の先端が前記ピンガイド２３の内円錐面２３ａに当接し、該内円錐面２３ａに沿って摺動することで、前記フローティングプレート２１が変位し、芯ずれが矯正される。又前記ガイドピン８の先端が前記ピンガイド２３の通孔に掛った後は、前記ガイドピン８の先端部のテーパ形状によって芯合せがなされ、該ガイドピン８が通孔に完全に嵌合することで、前記フローティングコネクタ４と前記固定コネクタ５との芯合せが完了し、前記フローティングコネクタ４と前記固定コネクタ５とが連結される。
【００２７】
以上述べた様に、前記フローティングコネクタ４と、前記固定コネクタ５間の芯ずれを矯正できる量は、前記ピンガイド２３の矯正量と前記ガイドピン８の矯正量の和となり、大きな矯正量が得られる。
【００２８】
従って、前記サブラック１、前記プラグインモジュール２を製作する場合の製作誤差、組立て誤差が大きくても、前記プラグインモジュール２の実装が可能となり、電子機器の製作費の低減、作業性の向上、組立て等の作業時間の短縮が可能となる。
【００２９】
又、上記実施の形態に於いて、前記対面パネル６側にフローティングコネクタ４をフローティングプレート２１を介して設け、前記対面パネル９側に固定コネクタ５、ガイドピン８を設ける様にしてもよい。
【００３０】
次に、図４は第２の実施の形態を示しており、該第２の実施の形態では、フローティングコネクタ４を連結方向にもフローティング可能としたものである。
【００３１】
カラー２２の高さを高くし、フローティングプレート２１と対面パネル９間に間隙が形成される様にし、又前記フローティングプレート２１と前記対面パネル９間に湾曲した板バネ２９を挾設し、前記フローティングプレート２１を固定コネクタ５側に付勢したものである。
【００３２】
従って、前記フローティングプレート２１は前記板バネ２９の付勢力以上の力で押込まれることで、前記対面パネル９側に変位する。従って、前記フローティングコネクタ４と前記固定コネクタ５間で連結方向に誤差を有していても、前記フローティングプレート２１が連結方向に変位することで、誤差が吸収され、前記フローティングコネクタ４と前記固定コネクタ５とは完全な連結がなされる。
【００３３】
尚、前記板バネ２９は前記フローティングプレート２１を前記固定コネクタ５側に付勢する手段であり、他の付勢手段を用いてもよい。例えば、前記板バネ２９を前記対面パネル９の反対面側に取付け、前記板バネ２９の先端をボルト２８の頭に当接させ、該ボルト２８を図４中左方に付勢する様にしてもよい。或は、板バネ２９に代え、コイルバネを用いてもよい。
【図面の簡単な説明】
【００３４】
【図１】本発明の実施の形態の要部を示す斜視図である。
【図２】同実施の形態に於けるフローティングコネクタ側の分解斜視図である。
【図３】図１のＡ−Ａ矢視図である。
【図４】本発明の第２の実施の形態を示すフローティングコネクタ側の側断面図である。
【図５】電子機器のモジュール収納部の断面図である。
【図６】従来の電子機器のモジュール収納部のコネクタ連結部を示す分解斜視図である。
【符号の説明】
【００３５】
１              サブラック
２              プラグインモジュール
３              コネクタ連結部
４              フローティングコネクタ
５              固定コネクタ
６              対面パネル
８              ガイドピン
９              対面パネル
２１            フローティングプレート
２２            カラー
２３            ピンガイド
２５            ガイドピン逃げ孔
２６            カラー逃げ孔
２７            座金
２９            板バネ
【図１】
2007280839.tif 000003
【図２】
2007280839.tif 000004
【図３】
2007280839.tif 000005
【図４】
2007280839.tif 000006
【図５】
2007280839.tif 000007
【図６】
2007280839.tif 000008